(57)【要約】      （修正有）【課題】生鮮野菜を食用としての利用だけでなく栽培期間中は観葉植物として観賞用としても利用できる野菜簡易栽培システムを提供する。【解決手段】特殊人工培養土にて生育させた野菜苗にミシン目と給水用のカットを施したプラスチックフィルム製の袋容器を組み合わせる。特殊人工培養土１にて生育させた野菜苗３、プラスチックフィルムをポット状に加工した袋容器２から構成され、プラスチックフィルムをポット状に加工した袋容器２にはミシン目４、通水性のあるカット５が施されている。【選択図】図１
0003161228.tif 000002
【実用新案登録請求の範囲】
【請求項１】
特殊人工培養土にて生育させた野菜苗をプラスチックフィルム製の袋容器にいれた野菜簡易栽培システムで、
イ）園芸生産用に市販されているピートモス等の培養土にポリエステル繊維を混ぜ、高温で固化成型した特殊人工培養土（１）にて野菜苗（３）を生育させる。
ロ）特殊人工培養土（１）にて生育された野菜苗（３）を、物流時や販売時等に草体が傷つかないようプラスチックフィルムをポット状に加工した袋容器（２）に入れる。
以上  イ）ロ）の構成からなる野菜簡易栽培システム。
【請求項２】
ロ）特殊人工培養土にて生育された野菜苗を、物流時等に草体が傷つかないようプラスチックフィルムをポット状に加工した袋容器には
ハ）適当な高さにミシン目（４）が施すことで、利用者は購入後ミシン目より上部を取り除き野菜を生育できる。
二）袋容器（２）の下部には水を通過させるカット（５）を施すことで、皿等の水を入れた容器に置くだけで特殊人工培養土（１）が適宜に水を吸い上げ野菜を生育できる。
以上  イ）とハ）二）の機能を備えたロ）の構成からなる野菜簡易栽培システム。
【考案の詳細な説明】
【考案の詳細な説明】
【技術分野】
【０００１】本考案は特殊人工培養土とプラスチックフィルムを利用した野菜簡易栽培システムに関するものである。
【背景技術】
【０００２】従来の一般的な生鮮野菜は根がカットされた状態で流通しているため、購入後にさらに大きく生育させることができなかった。【０００３】また、生鮮野菜の保存も冷蔵庫等の保冷設備で管理しないと品質を長持ちさせることができなかった。
【考案が解決しようとする課題】
【０００４】本考案はそれらの欠点を除いて、生鮮野菜を食用としての利用だけでなく栽培期間中は観葉植物として観賞用としても利用しようとするものである。
【課題を解決するための手段】
【０００５】上記の目的を達成するために、本考案の野菜簡易栽培システムは請求項１記載の  特殊人工培養土（１）にて生育させた野菜苗（３）、プラスチックフィルムをポット状に加工した袋容器（２）から構成され、プラスチックフィルムをポット状に加工した袋容器（２）には請求項２記載のミシン目（４）、通水性のあるカット（５）が施されている。
いまその解決手段を図面に追いながら説明する。
イ）    図１に示すように、ピートモス等の培養土にポリエステル繊維を混ぜ高温で固化成型した特殊人工培養土（１）にて生育させた野菜苗（３）を、物流時や販売時等に草体が傷つかないようプラスチックフィルムをポット状に加工した袋容器（２）に入れる。
ロ）    図２、図３が示すように、利用者が購入後  野菜をさらに大きく生育させることができるよう、プラスチックフィルムをポット状に加工した袋容器（２）には請求項２記載のミシン目（４）、通水性のあるカット（５）を施す。
【０００６】袋容器（２）には野菜苗（３）の生育方法などを表示することにより説明機能も果たす。
【考案実施の形態】
本考案は以上の構成であることから、これを使用するときは以下のように行う。
イ）物流時や販売時等に野菜苗（３）が傷つかないようプラスチックフィルムをポット状に加工した袋容器（２）に入れたまま皿等など水を溜めた容器に置けば、袋容器（２）下部の水を通過させるカット（５）により特殊人工培養土（１）が適宜に水を吸い上げ野菜苗（３）の品質を一定期間維持できる。
ロ）利用者は購入後、袋容器（２）に施されたミシン目（４）より上部を取り除くことで外観的にも優れており、野菜苗（３）を生育させながら観賞用としても利用できる。
ハ）利用者も袋容器（２）下部の水を通過させるカット（５）により皿等の水を入れた容器に置けば、冷蔵設備がなくても特殊人工培養土（１）が適宜に水を吸い上げ野菜苗（３）の品質を一定期間維持できる。
【０００７】袋容器（２）に記載された生育方法などの表示により、さらに利便性が向上する。
【図面の簡単な説明】
【図１】袋容器（２）に入った状態の特殊人工培養土（１）に植わった野菜苗（３）の外観図
【図２】本考案の袋容器（２）に施されたミシン目（４）とカット（５）の位置を示す外観図
【図３】本考案における利用者が生育させる管理状態の断面図
【符号の説明】１は特殊人工培養土
２は袋容器
３は野菜苗
４は袋容器に施されたミシン目
５は袋容器に施されたカット
６は水
７は皿等の容器
【図１】
0003161228.tif 000003
【図２】
0003161228.tif 000004
【図３】
0003161228.tif 000005
【手続補正書】
【提出日】平成22年3月3日(2010.3.3)
【手続補正１】
【補正対象書類名】実用新案登録請求の範囲
【補正対象項目名】全文
【補正方法】変更
【補正の内容】
【実用新案登録請求の範囲】
【請求項１】
特殊人工培養土にて生育させた野菜苗をプラスチックフィルム製の袋容器にいれた野菜簡易栽培システムであって、イ）園芸生産用に市販されているピートモス等の培養土にポリエステル繊維を混ぜ、高温で固化成型した、野菜苗（３）生育用の特殊人口培養土（１）と、ロ）物流時や販売時に草体が傷つかないようにするために、特殊人口培養土（１）にて生育された野菜苗（３）を収納するプラスチックフィルムをポット状に加工した袋容器（２）と、からなる野菜簡易栽培システム。
【請求項２】
特殊人工培養土にて生育させた野菜苗をプラスチックフィルム製の袋容器にいれた野菜簡易栽培システムであって、イ）園芸生産用に市販されているピートモス等の培養土にポリエステル繊維を混ぜ、高温で固化成型した、野菜苗（３）生育用の特殊人口培養土（１）と、ロ）物流時や販売時に草体が傷つかないようにするために、特殊人口培養土（１）にて生育された野菜苗（３）を収納する、プラスチックフィルムをポット状に加工した袋容器（２）からなることを特徴とする請求項１に記載の野菜簡易栽培システムは、ハ）適当な高さにミシン目（４）を施すことで、利用者は購入後ミシン目より上部を取り除き野菜を生育でき、二）袋容器（２）の下部には水を通過させるカット（５）を施すことで、皿等の水を入れた容器に置くだけで特殊人工培養土（１）が適宜に水を吸い上げ野菜を生育できる、イ）とハ）二）の機能を備えたロ）の構成からなる野菜簡易栽培システム。
【手続補正書】
【提出日】平成22年5月8日(2010.5.8)
【手続補正１】
【補正対象書類名】実用新案登録請求の範囲
【補正対象項目名】全文
【補正方法】変更
【補正の内容】
【実用新案登録請求の範囲】
【請求項１】
特殊人工培養土にて生育させた野菜苗をプラスチックフィルム製の袋容器にいれた野菜簡易栽培システムであって、イ）園芸生産用に市販されているピートモス等の培養土にポリエステル繊維を混ぜ、高温で固化成型した、野菜苗（３）生育用の特殊人工培養土（１）と、ロ）物流時や販売時に草体が傷つかないようにするために、特殊人工培養土（１）にて生育された野菜苗（３）を収納するプラスチックフィルムをポット状に加工した袋容器（２）と、からなる野菜簡易栽培システム。
【請求項２】
請求項１に記載の野菜簡易栽培システムにおいて、ハ）プラスチックフィルムをポット状に加工した袋容器（２）の適当な高さにミシン目（４）を施すことで、利用者は購入後ミシン目より上部を取り除き野菜を生育でき、二）袋容器（２）の下部には水を通過させるカット（５）を施すことで、皿等の水を入れた容器に置くだけで特殊人工培養土（１）が適宜に水を吸い上げ野菜を生育できる、イ）とハ）二）の機能を備えたロ）の構成からなる野菜簡易栽培システム。